(57)【要約】【課題】  商品に高級感を与えることができる内装体を、箱本体と同様に紙製で得る。【解決手段】  底部８の１対の端縁１０、１２から外方に向かって斜め上方に伸延している端壁２２、２４が形成され、底部８の１対の側縁１４、１６から外方に向かって斜め上方に側壁２６、２８が伸延している。底部８、端壁２２、２４及び側壁２６、２８は、１枚の紙を端縁１０、１２及び側縁２４、２６に対応する折り曲げ線で谷折りして形成され、側縁１０、１２は、端縁１０、１２に垂直な線分１８、２０の内外に突出した部分を有する。【選択図】        図１
2010265021.tif 000002
【特許請求の範囲】
【請求項１】
ほぼ矩形に形成され、互いに平行な１対の端縁と、これら１対の端縁の対応する端同士を繋ぐ１対の側縁を有している底部と、
前記１対の端縁それぞれから外方に向かって斜め上方に伸延している１対の端壁と、
前記１対の側縁それぞれから外方に向かって斜め上方に伸延している１対の側壁とを、
有し、前記底部、前記１対の端壁及び１対の側壁は、１枚の紙を前記１対の端縁及び前記１対の側縁に対応する折り曲げ線で谷折りして形成され、前記１対の側縁は、前記底部に起伏を形成するために前記端縁に垂直な線分の内外いずれか一方に突出した部分を少なくとも一部に有する箱の内装体。
【請求項２】
請求項１記載の箱の内装体において，前記１対の側壁それぞれの上縁から前記底部と反対側において下方に伸びた１対の起立壁を有し、前記１対の側壁それぞれの上縁は、前記１対の側壁に起伏を形成するために前記端縁に垂直な線分の内外いずれか一方に突出した部分を少なくとも一部に有し、この上縁に対応する折り曲げ線で山折りされている箱の内装体。
【請求項３】
請求項２記載の箱の内装体において、前記１対の側壁それぞれの上縁の外側に１対の直線状の別の上縁が形成され、この１対の別の上縁に対応する折り曲げ線で山折りされて、前記起立壁が形成されている箱の内装体。
【請求項４】
請求項３記載の箱の内装体と、
この箱の内装体が内部に収容され、上部開口を有する紙製の箱本体と、
この箱本体の前記上部開口を被蓋する紙製の蓋部材とを、
有し、前記箱の内装体の前記１対の側壁それぞれの別の上縁が、前記箱本体の１対の側壁それぞれの内面に接触し、前記箱の内装体の１対の端壁の上縁が、前記箱本体の１対の端壁の内面それぞれに接触している箱。
【発明の詳細な説明】
【技術分野】
【０００１】
本発明は、例えば包装用に使用する箱の内部に配置する内装体及びこの内装体を使用した箱に関する。
【背景技術】
【０００２】
従来、包装用箱の内装材としては、例えば特許文献１に開示されているように、上部が開口した紙製の箱本体の内部に、布を内装材として敷設して、内装材にドレープが生じるようにしたものがある。
【先行技術文献】
【特許文献】
【０００３】
【特許文献１】特開２００８−３０２９５７号公報
【発明の概要】
【発明が解決しようとする課題】
【０００４】
特許文献１の技術によれば、内装材にドレープが生じた布を使用しているので、ドレープにより布の質感が立体的に強調されて、消費者に高級感を与えることができ、商品のイメージを高めることができる。しかし、箱本体が紙製であるのに、別の材料である布を内装材として使用しなければならず、その製造が面倒である。
【０００５】
本発明は、包装品を贈り物として選ぶ送り手や、開梱した受取手に商品の高級感を与えることができる内装体を、箱本体と同様に紙製で得ることを目的とする。また、この内装体を使用した紙製の箱を提供することを目的とする。
【課題を解決するための手段】
【０００６】
本発明の一態様の内装体は、底部を有し、この底部はほぼ矩形に形成されている。この底部には、互いに平行な１対の端縁が設けられ、さらに、これら1対の端縁の対応する端同士を繋ぐ１対の側縁が設けられている。前記１対の端縁それぞれから外方に向かって斜め上方に１対の端壁が伸延している。前記１対の側縁それぞれから外方に向かって斜め上方に１対の側壁が伸延している。前記底部、前記１対の端壁及び１対の側壁は、１枚の紙を、前記１対の端縁及び前記１対の側縁に対応する折り曲げ線で谷折りして形成されている。さらに、前記１対の側縁は、前記底部に起伏を形成するために前記端縁に垂直な線分の内外いずれか一方に突出した部分を少なくとも一部に有している。突出部分は、側縁の一部、例えば中央部のみに設けることもできるし、側縁の全域にわたって内外に突出する波線状に形成することもできる。
【０００７】
このように構成された内装体では、１対の側縁の少なくとも一部が突出部に形成されているので、この１対の側片に対応する折り曲げ線に沿って折曲げることにより、底部に起伏を形成することができ、紙製の内装体でありながら、高級感を演出することができる。さらに、１枚の紙によって内装体が構成されているので、紙の使用量を抑制することができる。
【０００８】
前記１対の側壁それぞれの上縁から前記底部と反対側において下方に伸びた１対の起立壁を設けることができる。この場合、前記１対の側壁それぞれの上縁は、前記１対の側壁に起伏を形成するために前記端縁に垂直な線分の内外いずれか一方に突出した部分を少なくとも一部に有し、この上縁に対応する折り曲げ線で山折りされている。なお、突出した部分は、側縁の突出した部分と対応する位置に設けることもできる。
【０００９】
このように構成すると、側壁にも起伏を構成することができ、底部の起伏と相まって、立体感を与えることができ、より高級感を演出することができる。
【００１０】
さらに、前記１対の側壁それぞれの上縁の外側に１対の直線状の別の上縁を形成することができる。この場合、１対の別の上縁に対応する折り曲げ線で山折りされて、前記起立壁が形成されている。
【００１１】
このように構成すると、起立壁を設けたことにより、側壁の強度を増すことができ、例えば箱本体内にこの内装体を配置し、内装体に接触するように商品を収容した場合に、商品が側壁に当たっても、側壁が不所望に撓むことを防止できる。さらに、１対の別の上縁に対応する折り曲げ線で折り曲げているので、箱本体内に内装体を収容したとき、内装体と箱本体の内面との間に、隙間が形成されることを防止できる。
【００１２】
上記の内装体と、この内装体が内部に収容され、上部開口を有する紙製の箱本体と、この箱本体の前記上部開口を被蓋する紙製の蓋部材とを、有する箱とすることもできる。
【００１３】
このように構成すると、箱の材料が全て紙であるので、コストを低減することができる。
【発明の効果】
【００１４】
以上のように、本発明によれば、紙製でありながら、立体感のある内装体を得ることができるので、コストの低減を図りながら、包装品の送り手や受取手に商品の高級感を与えることができる。また、この内装体と紙製の箱と紙製の蓋部材とによって箱を構成することによって、コストの低減を図りながら、箱の内部に収容される商品に高級感を与えることができる。
【図面の簡単な説明】
【００１５】
【図１】本発明の第１実施形態の内装体の平面図、中央縦断正面図、中央縦断側面図である。
【図２】図１の内装体を作成するための内装体準備体の平面図である。
【図３】図１の内装体を箱本体内に装填した状態の斜視図である。
【図４】図１の内装体を箱本体内に装填した状態の平面図である。
【図５】本発明の第２実施形態の内装体を箱本体に装填した状態の平面図である。
【発明を実施するための形態】
【００１６】
本発明の第１実施形態の内装体２は、図３に示すように、箱本体４内に配置されている紙、例えば段ボール紙製のものである。箱本体４は、１枚の紙、例えば段ボール紙を折り曲げて、上部が開口した直方体状に形成されている。この上部の開口を被蓋する蓋６も、１枚の紙、例えば段ボール紙を折り曲げて形成されている。
【００１７】
内装体２は、図１（ａ）乃至（ｃ）に示すように、底部８を有している。底部８は、概略直方体状に形成され、その両端に互いに平行に位置する１対の端縁１０、１２を有している。これら端縁１０、１２の互いに対応する端同士をつなぐように、１対の側縁１４、１６が設けられている。これら側縁１４、１６は、端縁１０、１２に対する垂線１８、２０の内外に位置する波線状に形成されている。即ち、側縁１４、１６は、それぞれ周期に対して振幅の小さい正弦波状に形成され、側縁１４、１６の中央部において底部８の外側に１周期分突出し、その両側においてそれぞれ底部８の内側に１周期分突出し、端縁１０、１２に最も近い部分でそれぞれ半周期分外側に突出している。側縁１４、１６は、底部８の中央を端縁１０、１２に対して垂直な線分（図示せず）を対称軸とする線対称に形成されている。この側縁１４、１６の内外への突出に対応して、図１（ｂ）に示すように底部８には、端縁１０、１２間に緩やかな丸みのある起伏が形成されている。即ち、底部８の中央部が緩やかに隆起し、その両側において緩やかに陥没し、端縁１０、１２に近い部分で緩やかに隆起している。なお、図１（ｂ）では、起伏を幾分誇張して描いている。
【００１８】
端縁１０、１２に連ねて端壁２２、２４が形成されている。これら端壁２２、２４は、逆台形状に形成され、端縁２２、２４から外側に向かって斜め上方に伸延し、これらの上縁部の両端がそれぞれアール状に丸められている。
【００１９】
側縁１４、１６に連ねて側壁２６、２８が形成されている。これら側壁２６、２８もほぼ逆台形状に形成され、側縁１４、１６から外側に斜め上方に伸延している。ただし、その両端は、端壁２２、２４の両側縁を超えて端壁２２、２４の上縁の位置付近まで伸びている。側壁２６、２８の上縁３０、３２も、側縁１４、１６と同様に、周期に対して振幅の小さい正弦波状に形成され、その中央部から底部８から見て外側に緩やかに突出し、その両側が底部８から見て内側に緩やかに突出し、端壁２２、２４に最も近い部分はほぼ直線状に形成されている。これによって、図１（ｃ）に示すように中央部が底部８から見て外側に緩やかに突出し、その両側が底部８から見て内側に緩やかに突出した起伏状態に形成されている。なお、図１（ｃ）でも起伏は幾分誇張して描いてある。
【００２０】
側壁２６、２８の上縁３０、３２に連ねて上壁３４、３６が形成され、これら上壁３４、３６の外側の直線状の縁３８、４０に連ねて、底部８側に向かって直立壁３８、４０が形成されている。これら直立壁４２、４４によって、内装体２は自立している。
【００２１】
この内装体２は、図２に示すように１枚の段ボール紙を裁断し内装体準備体２ａを構成する。内装体準備体２ａにおける内装体２の構成要素に相当する部分には、内装体２の構成要素に付した符号の末尾に符号ａを付して、その説明を省略する。なお、符号４６、４８、５０、５２で示しているのは切り込み線で、端壁相当部２２ａ、２２ｂと側壁相当部２６ａ、２８ａとを分離するためのものである。また、端縁相当部１０ａ、１２ａ、側縁相当部１４ａ、１６ａ、上縁３０ａ、３２ａ、直線状縁相当部３８ａ、４０ａは、それぞれ折り曲げ線であり、折り曲げやすいように加工されている。
【００２２】
この内装体準備体２ａにおいて、端縁相当部１０ａ、１２ａに沿って谷折りして、端壁２２、４を立ち上げ、側縁相当部１４ａ、１６ａに沿って谷折りして側壁２６、２８を立ち上げる。このとき、波線状の側縁相当部１４ａ、１６ａに沿って折ることによって、底部８に起伏が形成される。同様に上縁３０ａ、３２ａに沿って山折りすることによって側壁２６、２８にも起伏が形成される。そして、直線状縁３８ａ、４０ａに沿って山折りすることによって、上壁３４、３６、起立壁４２、４４が形成される。これによって、内装体２が形成される。
【００２３】
この内装体２を箱本体４内に収容する。このとき、図４に示すように上壁３４、３６が形成されているので、箱本体４の内面と内装体２との間に隙間が形成されず、両者は密着している。
【００２４】
この内装体２では、段ボール紙のような紙製でありながら、その底部８及び側壁２６、２８に緩やかな丸みのある起伏が形成されているので、これら起伏部分に商品を収容することにより、商品により高級感を、この商品の送り手及び受取手に感じさせることができる。しかも、箱本体４、内装体２及び蓋８の全てが紙製であるので、処分がしやすい。
【００２５】
第２の実施形態の内装体１０２を箱本体１０４に収容した状態を図５に示す。この内装体１０２は、大型の箱本体１０４に対応するもので、底部１０８の中央部に商品を区分けするための仕切り１５０が底部１０８を切り起こすことによって構成されている。他の構成は、第１の実施形態の内装体２と同様であるので、対応する部分には、その符号に１００を加算した値の符号を付してその説明を省略する。ただし、側縁１２０及び上縁１３２は、その中央部のみを底部１０８から見て内側に突出させてある。
【００２６】
上記の第１の実施形態では、側縁１４、１６全域を、線分１８、２０の内外に突出する波線状に形成したが、例えば中央部のみを内側または外側に突出させるように構成することもできるし、中央部を内側または外側に突出させ、その両側を中央部とは反対方向に突出させ、残りの部分を直線状に構成することもできる。また、場合によっては、上縁３０、３２を直線状に形成し、底部８のみに起伏を形成するようにすることもできる。起立壁４２、４４を設けたが、場合によっては不要である。上記の実施形態では、箱本体２が長手の直方体状であるので、内装体２もそれに併せてやや細長い形状としたが、箱本体が例えばその開口が正方形状の場合には、それに応じた形状とすることができる。
【符号の説明】
【００２７】
２  内装体
４  箱本体
６  蓋
８  底部
１０  １２  端縁
１４  １６  側縁
２２  ２４  端壁
２６  ２８  側壁
３０  ３２  側壁の上縁
【図１】
2010265021.tif 000003
【図２】
2010265021.tif 000004
【図３】
2010265021.tif 000005
【図４】
2010265021.tif 000006
【図５】
2010265021.tif 000007